(57)【特許請求の範囲】
【請求項１】
エアゾル容器と、
前記エアゾル容器の上端部に配設される噴出装置固定カバーと、
前記噴出装置固定カバー内に配設される噴出装置と、を備える連続噴出装置であって、
前記噴出装置は、
前記エアゾル容器に収納される内容物の圧力を一定に調整する一定圧力調整装置と、
前記内容物の噴出量を調整する噴出量調整装置と、
前記内容物を一定量で連続して噴出させる連続定量噴出装置と、を備え、
前記一定圧力調整装置は、
前記噴出装置の本体部及びヘッドカバー内に挿入されるピストンと、
前記ピストンの下方に挿入されるプランジャと、
前記ヘッドカバーと前記ピストンとの間に介挿され、前記ピストンを下方に付勢するスプリングと、を有し、
前記噴出量調整装置は、
前記ピストンのネジ込部に螺合される噴出量調整レバーと、
前記ピストンと前記噴出量調整レバーとの間に配設される微空隙体及び微小径孔と、を有し、
前記噴出量調整レバーを廻して上下動させることによる押圧度の変化で前記微空隙体の密度を変化させて、あるいは、前記微空隙体を密度の異なる材質のもの同士で取り換えることによって、前記内容物の噴出量を微量で調整し、
前記連続定量噴出装置は、
前記噴出装置に形成される固定用リブと、
前記噴出装置固定カバーに形成される嵌合孔と、を有し、
前記固定用リブを前記嵌合孔に嵌合させることにより、前記エアゾル容器のノズルステムを押圧して連続噴出状態とすることを特徴とする連続噴出装置。
【請求項２】
エアゾル容器と、
前記エアゾル容器の上端部に配設されるバルブと、
前記バルブの上端部に嵌合されるノズルと、を備える連続噴出装置であって、
前記連続噴出装置は、
前記エアゾル容器に収納される内容物の圧力を一定に調整する一定圧力調整装置と、
前記内容物の噴出量を調整する噴出量調整装置と、
前記内容物を一定量で連続して噴出させる連続定量噴出装置と、を備え、
前記一定圧力調整装置は、
前記バルブの下方、且つ前記エアゾル容器内に定圧部が設けられ、
前記定圧部は、
前記定圧部のボディ及びヘッドカバー内に挿入されるピストンと、
前記ピストンに挿入されるプランジャと、
前記ヘッドカバーと前記ピストンとの間に介挿され、前記ピストンを付勢するスプリングと、を有し、
前記噴出量調整装置は、
前記定圧部の流出口に配設される微空隙体及び微小径孔を有し、
前記微空隙体を密度の異なる材質のもの同士で取り換えることによって、前記内容物の噴出量を微量で調整し、
前記連続定量噴出装置は、
前記ノズルに前記内容物を外気に蒸散させる蒸散体を備え、
前記ノズルの下端部を前記エアゾル容器の上端部に嵌合させることにより、前記バルブを押圧して連続噴出状態とすることを特徴とする連続噴出装置。
【発明の詳細な説明】
【０００１】
【発明の属する技術分野】
この発明は内容物を長時間に亘って定量、定圧で噴出する装置に関する。
【０００２】
【従来の技術】
エアゾル容器などによって、各種の殺虫剤、殺菌剤、肥料、動物用忌避剤、芳香剤、消臭剤等の内容物を噴出させることは普通に行なわれているが、長時間に亘って、定量、定圧で、例えば１ヶ月間に５０mlというように長期間に微量を低圧で噴出させようとすれば適当な手段がないのが現状である。
【０００３】
【課題を解決するための手段】
この発明は従来から業界の要望であった内容物の定量、定圧での長時間に亘る噴出の実現のために、一定圧力調整装置、連続定量噴出装置等からなる連続噴出装置を得たものである。
さらにこの連続噴出装置を利用して薬液をシャボン玉として放散させて長時間連続して噴出させる装置を得たものである。
【０００４】
【実施例】
図１はこの発明の連続噴出装置の全体構成の概念図であって、例えばエアゾル容器のような圧力容器１の上端に噴出装置固定カバー２を嵌合固定し、カバー２内に噴出装置１０が嵌合固定されている。
図２は特に微量、低圧で連続噴出させるのに適する実施例である噴出装置１０の断面図を示し、本体部２０の上方にヘッドカバー３０が係止部３２によって固定され、本体部２０の内部にピストン４０が挿入され、ピストン４０の上方に噴出量調整レバー５０がねじこまれていて、ピストン４０とレバー５０との間に微量調整機構が設けられている。
【０００５】
ピストン４０はヘッドカバー３０との間に介挿されたスプリング４２によって下方に付勢されている。ピストン４０の下方には先端が閉鎖部４４として形成されているプランジャー４３を挿入する。なお４１はシールパッキン、４５は弾性密封部材である。
図３は図２のＡ部の拡大図であって、微量の噴出量を調整する機構の一実施例を示し、５０は噴出量調整レバー、５１はピストン４０との間のネジ込部、５２は通路、５４は噴出量調整手段としてのスポンジ等の連続発泡体、５５はフィルタ、５６はワッシャー、５７は０．５φ以下の微小径孔、５８はメッシュであって、ネジ込部５１により噴出量調整レバー５０を上下させて連続発泡体５４の密度を変え、微量の噴出量を調整できる。図４は図２をＦ方向からみた平面図、図５は図１をＲ方向からみた平面図であって、図２、図４、図５から判るように噴出量調整レバー５０の周辺は垂下部５９に形成され、ヘッドカバー３０の上面の円弧状調整用スリット３１の中に嵌入している。
【０００６】
レバー５０を廻せばネジ込部５１により上下し、その先端による連続発泡体５４への押圧度が変化し、連続発泡体５４の密度を変化させ、微量噴出量を調整する。噴出量の調整はこのように押圧で発泡体の密度を変化させる外、調整体自体を密度の異なる材質のもの同志で取り換えることによって行なうこともできる。５３はレバー５０の上面の通路５２の出口に介挿した分散体であって、通路５２を上昇した内容物は分散体５３から外気へ蒸散される。２１は本体部２０の内部にあるピストン廻り止めリブであって、ピストン４０の下端のフォーク部４６と係合している。２２は本体部２０から突出している固定用リブであって、図１、図５、及び図１をＤ方向からみた側面図である図６から判るように、リブ２２は噴出装置固定カバー２の嵌合孔４に嵌合して固定される。
【０００７】
３はカバー２に設けられたスリットであって、噴出装置１０をカバー２に挿し込むとき弾性をもたせるようになっている。５は容器１の上端のノズルステムであって、噴出装置１０の本体部２０の下端のノズルステム嵌合部２３と嵌合している。
図１の中心線Ａ−Ａの左側は噴出前の状態であり、中心線Ａ−Ａの右側に示すように噴出装置１０を押し込んでカバー２に固定すると、ノズルステム５も下降して噴出状態となる。ノズルステム５から噴出された内容物はプランジャー４３の周囲からピストン４０の下方に入り、圧力でピストン４０をスプリング４２に抗して押し上げながら、プランジャーの上方から前記の微量調整機構を経て通路５２より分散体５３に入り、そこから外気に蒸散する。
【０００８】
スプリング４２に抗してピストン４０が上昇するとプランジャー４３も上昇し、その閉鎖部４４が通路を閉鎖すると、内容物はそれ以上ピストン４０の下方に入らず、内容物が次第に蒸散してピストン下面の圧がスプリング４２の付勢力よりも低くなる。そうなればピストン４０とプランジャー４３がスプリング４２に押されて下降し、閉鎖部４４も下降して閉鎖が開放され、再び内容物が流入し、ピストン下面の圧が高まり、スプリングの付勢力に抗してピストンとプランジャーが上昇し再び流入を閉鎖する。このようにしてスプリング４２の強さに相応する一定圧力にピストン４０の下面の圧力は維持される。
【０００９】
なお、噴出量調整装置としては、実施例として挙げたスポンジ等の連続発泡体以外に、人工皮革、不織布、焼結体等、任意の微空隙体が使用されうる。
図７では、エアゾル容器１の内部に内容物を吸上げるディップチューブ６を入れ、その先端に定圧部６０を取り付け、その上方にバルブ７、ノズル８が設けられている。ノズル８には連続発泡体等の蒸散体があり、前記の如く噴出して来た液は一旦蒸散体９に入り、そこから大気中に蒸散してゆく。２５は定圧部への流入口、２６は定圧部からの流出口である。
【００１０】
図８は定圧部６０がディップチューブ６の先端に取り付けられている別な実施態様を示している。
図９は定圧部６０の構成を示し、これは図２に示す構成と基本的には同じであって、図２と同じ符号は同じ部分を表している。薬液は流入口２５から入って、圧力を調整され、微量で流出口２６から出てゆく。内容物が流入すればピストン４０をスプリング４２に抗して図の右側に押し、プランジャー４３の先端の閉鎖部４４が流入口を閉鎖し、それ以上の内容物の流入を遮断し、内容物の流出でピストンの左側の圧力が下がれば、スプリング４２の付勢力でピストンは左側に動き、閉鎖部４４が開放され、再び内容物が流入する。このようにピストン４０の左側の圧力はスプリング４２との関連で一定圧に維持され、内容物は定圧でメッシュ５８、微小径（０．５φ以下）の小孔５７、フィルタ５５、連続発泡体５４を経て流出口２６を出て、バルブ７の方に送られる。なお図で４１はシールパッキン、４５は弾性密封体である。
【００１１】
図１０は連続噴出装置の第１参考例であって、この発明の定量噴出装置を利用したシャボン玉による薬液拡散を行うような連続噴出装置６０を示している。図１１は図１０の平面図を示している。６１は空気より軽いガス（例えばヘリウム）を入れた高圧ガスボンベ、１０はそれに取り付けた、図２と同様な連続噴出装置、６２はガスボンベの上方に取り付けた容器で、所望の薬液、界面活性剤等を含む溶液を入れる。６３は容器６２からの溶液誘導部で毛管現象等を利用する。６４はシャボン玉形成部であって、連続噴出装置１０から噴出されてくるヘリウムなどのガスで容器６２から誘導されてくる溶液をゆっくり膨ましてシャボン玉７０を作り、空中に放出させる。
【００１２】
シャボン玉が天井等の上部ではじければ、薬液を広範囲に拡散させることができる。又拡散状況を目でみることもできる。
さらにこの装置は玩具などにも利用が可能である。
【００１３】
【発明の効果】
この発明は、一旦セットすれば、各種の殺虫剤、殺菌剤、芳香剤、消臭剤等の内容物を一定圧で長期間定量で噴出させ（例えば薬液を低圧、微量で噴出させるような場合において１ヵ月間で50mlを噴出させる）ことのできるエアゾル装置を得たものである。
【図面の簡単な説明】
【図１】第１の実施例の全体概念図
【図２】噴出装置の断面図
【図３】図２のＡ部の拡大図
【図４】図２をＦ方向からみた平面図
【図５】図１をＲ方向からみた平面図
【図６】図１をＤ方向からみた側面図
【図７】別な実施態様を示す図
【図８】さらに別な実施態様を示す図
【図９】定圧機構を示す図
【図１０】  連続噴出装置の第１参考例を示す図
【図１１】図１０の平面図
【符号の説明】
１  エアゾル容器
２  噴出装置固定カバー
３  スリット
４  孔
５  ノズルステム
６  ディップチューブ
７  バルブ
８  ノズル
９  蒸散体
１０  噴出装置
２０  本体部
２１  ピストン廻り止リブ
２２  固定用リブ
２３  ノズルステム嵌合部
２５  流入口
２６  流出口
３０  ヘッドカバー
３１  円弧状調節用スリット
３２  係止部
４０  ピストン
４１  シールパッキン
４２  スプリング
４３  プランジャー
４４  閉鎖部
４５  弾性密封部材
４６  フォーク部
５０  噴出量調整レバー
５１  ネジ部
５２  通路
５３  分散体
５４  連続発泡体
５５  フィルター
５６  ワッシャー
５７  微小径部
５８  メッシュ
５９  垂下部
６０  シャボン玉による拡散装置
６１  ガスボンベ
６２  容器
６３  溶液誘導部
６４  シャボン玉形成部
７０  シャボン玉
【図１】
0004050380.tif 000002
【図２】
0004050380.tif 000003
【図３】
0004050380.tif 000004
【図４】
0004050380.tif 000005
【図５】
0004050380.tif 000006
【図６】
0004050380.tif 000007
【図７】
0004050380.tif 000008
【図８】
0004050380.tif 000009
【図９】
0004050380.tif 000010
【図１０】
0004050380.tif 000011
【図１１】
0004050380.tif 000012